(57)【特許請求の範囲】
【請求項１】
パイロット信号データが含まれる入力信号データから所定周波数のパイロット信号位相データを抽出するパイロット信号抽出回路であって、
自走により前記所定周波数の基準位相データを生成する基準位相データ生成手段と、
前記基準位相データから余弦波データ及び正弦波データを生成する余弦波／正弦波データ生成手段と、
前記入力信号データと前記余弦波データとを乗算し、及び、前記入力信号データと前記正弦波データとを乗算する乗算手段と、
前記入力信号データと前記余弦波データとを乗算した第１の乗算結果データ、及び、前記入力信号データと前記正弦波データとを乗算した第２の乗算結果データに基づき、前記パイロット信号データと前記基準位相データの位相差データを生成する位相差データ演算手段と、
前記基準位相データと前記位相差データに基づき、前記パイロット信号位相データを生成する位相生成手段と
を備えたことを特徴とするパイロット信号抽出回路。
【請求項２】
前記位相差データ演算手段は、前記各乗算結果データに対し逆正接演算を行うことで前記位相差データを生成することを特徴とする請求項１に記載のパイロット信号抽出回路。
【請求項３】
前記位相差データ演算手段は、前記第１の乗算結果データの帯域を制限する第１のローパスフィルタ手段、及び、前記第２の乗算結果データの帯域を制限する第２のローパスフィルタ手段を含むことを特徴とする請求項１または２に記載のパイロット信号抽出回路。
【請求項４】
前記基準位相データ生成手段は、
前記位相差データに基づき前記基準位相データの周波数誤差を補正することを特徴とする請求項１乃至３のいずれかに記載のパイロット信号抽出回路。
【請求項５】
前記基準位相データ生成手段は、前記位相差データを微分する微分手段と、該微分結果を積分する積分手段とを含むことを特徴とする請求項４に記載のパイロット信号抽出回路。
【請求項６】
前記基準位相データ生成手段は、所定の位相変化量データ及び前記積分手段による積分結果に基づき、前記基準位相データを生成する累算手段をさらに含むことを特徴とする請求項５に記載のパイロット信号抽出回路。
【請求項７】
請求項１乃至６のいずれかに記載のパイロット信号抽出回路と、
前記入力信号データが入力され、前記パイロット信号抽出回路により抽出された前記パイロット信号位相データに基づき、前記入力信号データを復調したステレオ信号を出力する復調手段と
を備えたことを特徴とするステレオ復調回路。
【発明の詳細な説明】
【技術分野】
【０００１】
本発明はパイロット信号抽出回路及びステレオ復調回路に関し、特に詳細には、入力信号データからパイロット信号を抽出するパイロット信号抽出回路及び該パイロット信号抽出回路を有するステレオ復調回路に関する。
【背景技術】
【０００２】
従来、ＰＬＬを用いたステレオ復調回路が知られている。
【０００３】
ステレオ復調回路に入力される入力信号には、Ｌｃｈ＋Ｒｃｈ信号、Ｌｃｈ−Ｒｃｈ信号、３８ｋＨｚ副搬送波の半分の周波数をもつ１９ｋＨｚパイロット信号、が含まれている。
【０００４】
ステレオ復調回路は、入力信号から３８ｋＨｚの副搬送波を再生すると共に１９ｋＨｚのパイロット信号を取り除き、この副搬送波によって入力信号からＬｃｈ＋Ｒｃｈ信号、Ｌｃｈ−Ｒｃｈ信号を復元し、これらの和及び差を計算することによってＬｃｈ及びＲｃｈのステレオ信号を生成する。
【０００５】
入力信号から３８ｋＨｚの副搬送波を再生すると共に１９ｋＨｚのパイロット信号を取り除くために、従来のステレオ復調回路はＰＬＬによって１９ｋＨｚの信号を生成する。
【０００６】
図１は、従来のステレオ復調回路の一例を示すブロック図である（例えば特許文献１参照）。
【０００７】
ステレオ復調回路は、パイロット信号検出信号、サブキャリア信号を出力するパイロットＰＬＬ回路を備え、そのパイロット信号検出信号、サブキャリア信号によりＦＭ復調データをステレオ信号に復調する。
【０００８】
パイロットＰＬＬ回路２３は、制御データが入力されるＮＣＯ３１と、ＮＣＯ３１の出力を基に１９ｋＨｚ余弦波データを生成するＲＯＭテーブル３２と、ＦＭ復調データと余弦波データとを乗算する乗算器３３と、乗算結果を積分する積分器３５と、ローパスフィルタ３４と、積分器３５の出力とローパスフィルタ３４の出力を加算し、制御データとしてＮＣＯ３１にフィードバックする加算器３６と、を備え、さらに、ＮＣＯ３１の出力を基に１９ｋＨｚ正弦波データを生成するＲＯＭテーブル３８と、ＦＭ復調データと余弦波データとを乗算する乗算器３９を含み、パイロット信号検出信号を生成するパイロット信号検出信号回路５０と、ＮＣＯ３１の出力を基に３８ｋＨｚ正弦波データ（サブキャリア信号）を生成するＲＯＭテーブル３７を備える。
【０００９】
制御データには、ＦＭ復調データに含まれる１９ｋＨｚ成分と、内部で生成した１９ｋＨｚ成分との間に存在する位相差に相当する信号成分が含まれ、ＮＣＯ３１の出力はこの位相差を考慮した出力となる。これにより、１９ｋＨｚのパイロット信号に同期した信号を出力することができるとともに、急峻なフィルタを用意することもなく、不要な１９ｋＨｚのパイロット信号を取り除くことができる。
【００１０】
また、非特許文献１の１２５ページには、従来のステレオ復調回路の別の例として、ステレオ復調器のブロック図が掲載されている。
【００１１】
同ブロック図に表されたステレオ復調器は、１９ｋＨｚのｃｏｓ信号、３８ｋＨｚのｓｉｎ信号（副搬送波）を出力するＰＬＬを備え、これらの信号によりコンポジット信号をＬチャネル信号、Ｒチャネル信号に復調する。
【００１２】
ＰＬＬは、制御信号が入力され、１９ｋＨｚのｓｉｎ信号と１９ｋＨｚのｃｏｓ信号と３８ｋＨｚのｓｉｎ信号を生成するＮＣＯと、ＮＣＯからの１９ｋＨｚのｓｉｎ信号とコンポジット信号を乗算し、コンポジット信号に含まれる１９ｋＨｚのパイロット信号との位相比較をする乗算器と、制御に必要でない成分は除去し、積分を行って、ＮＣＯに制御信号をフィードバックするループフィルタを備える。
【００１３】
制御信号には、１９ｋＨｚのｓｉｎ信号と１９ｋＨｚのパイロット信号の位相差に対応する情報が含まれ、ＮＣＯの出力はこの位相差を考慮した出力となる。これにより、１９ｋＨｚのパイロット信号に同期した信号を出力することができるとともに、急峻なフィルタを用意することもなく、不要な１９ｋＨｚのパイロット信号を取り除くことができる。
【００１４】
このように、所望の１９ｋＨｚの信号を生成するためには、その信号とステレオ復調回路の入力信号に含まれる１９ｋＨｚパイロット信号との位相差を求めることが重要であり、従来の回路では位相差を出力するための位相フィードバックループを使ったＰＬＬの構成を採っている。
【先行技術文献】
【特許文献】
【００１５】
【特許文献１】特開２００９−００５２７２号公報
【非特許文献】
【００１６】
【非特許文献１】デジタル・デザイン・テクノロジ  ＮＯ．１  ２００９年Ｓｐｒｉｎｇ、ＣＱ出版、第１巻第１号通巻１号、２００９年５月１日発行、１２４頁−１２５頁
【発明の概要】
【発明が解決しようとする課題】
【００１７】
しかし、上記従来のステレオ復調回路には位相フィードバックループが存在するため、動作を開始してから動作が安定するまでに時間がかかるという問題がある。
【００１８】
そこで、本発明は上記の点に鑑みてなされたものであって、安定化時間の問題を解決できるパイロット信号抽出回路及びステレオ復調回路を提供することを目的とする。
【課題を解決するための手段】
【００１９】
上記目的を達成するために出願人が案出した本発明に係るパイロット信号抽出回路は、
パイロット信号データが含まれる入力信号データから所定周波数のパイロット信号位相データを抽出するパイロット信号抽出回路であって、自走により前記所定周波数の基準位相データを生成する基準位相データ生成手段と、前記基準位相データから余弦波データ及び正弦波データを生成する余弦波／正弦波データ生成手段と、前記入力信号データと前記余弦波データとを乗算し、及び、前記入力信号データと前記正弦波データとを乗算する乗算手段と、前記入力信号データと前記余弦波データとを乗算した第１の乗算結果データ、及び、前記入力信号データと前記正弦波データとを乗算した第２の乗算結果データに基づき、前記パイロット信号データと前記基準位相データの位相差データを生成する位相差データ演算手段と、前記基準位相データと前記位相差データに基づき、前記パイロット信号位相データを生成する位相生成手段とを備える。
【００２０】
ここで、前記位相差データ演算手段は、前記各乗算結果データに対し逆正接演算を行うことで前記位相差データを生成することができる。また、前記位相差データ演算手段は、前記第１の乗算結果データの帯域を制限する第１のローパスフィルタ手段、及び、前記第２の乗算結果データの帯域を制限する第２のローパスフィルタ手段を含むことができる。あるいは、前記位相差データに基づき前記基準位相データの周波数誤差を補正することができる。また、前記基準位相データ生成手段は、前記位相差データを微分する微分手段と、該微分結果を積分する積分手段とを含むことができる。また、前記基準位相データ生成手段は、所定の位相変化量データ及び前記積分手段による積分結果に基づき前記基準位相データを生成する累算手段をさらに含むことができる。
【００２１】
上記目的を達成するために出願人が案出した本発明に係るステレオ復調回路は、上記各構成のいずれかのパイロット信号抽出回路と、前記入力信号データが入力され、前記パイロット信号抽出回路により抽出された前記パイロット信号位相データに基づき、前記入力信号データを復調したステレオ信号を出力する復調手段とを備える。
【発明の効果】
【００２２】
本発明によれば、位相フィードバックループを用いないフィードフォワード構成のため、動作を開始してから動作が安定するまでの時間を低減することができる。
【図面の簡単な説明】
【００２３】
【図１】従来のステレオ復調回路の一例を示すブロック図である。
【図２】本発明のステレオ復調回路を示すブロック図である。
【図３】本発明の実施の形態１に係るパイロット信号抽出回路を示すブロック図である。
【図４】本発明の実施の形態１に係る基準位相データ生成部の一具体例を示すブロック図である。
【図５】本発明の実施の形態２に係るパイロット信号抽出回路を示すブロック図である。
【図６】本発明の実施の形態２に係る基準位相データ生成部の一具体例を示すブロック図である。
【発明を実施するための形態】
【００２４】
以下、この出願に係る発明の好適な実施形態を添付図面により例示し、該図面を参照して本発明を説明する。なお、例示の実施形態は本発明をより分かり易く説明するためのものであって、別途提出の特許請求の範囲に記載した本発明の技術的範囲を、該実施形態にしたがって限定的に解釈すべきではないことに留意されたい。
【００２５】
［本発明装置の構成］
図２は、本発明のステレオ復調回路を示すブロック図である。
【００２６】
ステレオ復調回路２００は、入力信号データが入力され、入力信号データからパイロット信号位相データを生成するパイロット信号抽出回路２１０と、入力信号データが入力され、パイロット信号位相データによってステレオ信号データを生成する復調器２２０を備える。
【００２７】
ここで、ステレオ復調回路２００に入力される入力信号データには、Ｌｃｈ＋Ｒｃｈ信号データ、Ｌｃｈ−Ｒｃｈ信号データ、３８ｋＨｚ副搬送波の半分の周波数をもつ１９ｋＨｚパイロット信号データが含まれている。
【００２８】
ステレオ復調回路２００は、入力信号データから３８ｋＨｚの副搬送波データを再生すると共に１９ｋＨｚのパイロット信号データを取り除き、この副搬送波データによって入力信号データからＬｃｈ＋Ｒｃｈ信号データ、Ｌｃｈ−Ｒｃｈ信号データを復元し、これらの和及び差を計算することによってＬｃｈ及びＲｃｈのステレオ信号データを生成する。
【００２９】
入力信号データから３８ｋＨｚの副搬送波データを再生すると共に１９ｋＨｚのパイロット信号データを取り除くために、ステレオ復調回路２００はパイロット信号抽出回路２１０を備えている。パイロット信号抽出回路２１０は、１９ｋＨｚのパイロット信号位相データを生成する。復調器２２０は、パイロット信号抽出回路２１０が生成したパイロット信号位相データを基にＬｃｈ及びＲｃｈのステレオ信号データを生成する。
【００３０】
［実施の形態１］
図３は、本発明に係るステレオ復調回路の実施の形態１におけるパイロット信号抽出回路を示すブロック図である。
【００３１】
パイロット信号抽出回路２１０ａは、パイロット信号データが含まれる入力信号データから１９ｋＨｚのパイロット信号位相データを抽出し、復調器２２０へ出力する。
【００３２】
パイロット信号抽出回路２１０ａは、基準となる自走周波数１９ｋＨｚの基準位相データを生成する基準位相データ生成部３００と、基準位相データから余弦波データ（ｃｏｓ）及び正弦波データ（ｓｉｎ）を生成する余弦波／正弦波データ生成部３１０と、入力信号データと余弦波データ及び正弦波データとをそれぞれ乗算する乗算部３２０と、各乗算結果データの逆正接演算（ａｒｃｔａｎｇｅｎｔ）を行い、位相差データを生成する位相差データ演算部３３０と、基準位相データと位相差データに基づき１９ｋＨｚのパイロット信号位相データを抽出する位相生成部３４０を備える。
【００３３】
乗算部３２０は、入力信号データと余弦波データとを乗算する乗算器３２２と、入力信号データと正弦波データとを乗算する乗算器３２４を備える。
【００３４】
位相差データ演算部３３０は、入力信号データと余弦波データとを乗算した乗算結果データの帯域を制限するローパスフィルタ（ＬＰＦ）３３２と、入力信号データと正弦波データとを乗算した乗算結果データの帯域を制限するローパスフィルタ（ＬＰＦ）３３４と、各乗算結果データの逆正接演算を行う逆正接演算器（ａｔａｎ）３３６を備える。
【００３５】
位相生成部３４０は、基準位相データと位相差データを加算し、１９ｋＨｚのパイロット信号位相データを生成する加算器３４２を備える。
【００３６】
図４は、本発明に係るステレオ復調回路の実施の形態１におけるパイロット信号抽出回路に用いられる基準位相データ生成部３００の一具体例を示すブロック図である。
【００３７】
基準位相データ生成部３００は累算器４００で構成され、自走により周波数１９ｋＨｚの基準位相データを生成する。累算器４００は、１サンプリングあたりの位相変化量と基準位相データとを加算する加算器４１２と、クロックによる動作周波数で動作し、加算結果を入力して基準位相データを出力するレジスタ４１４とを含む。
【００３８】
ここで、累算器４００のサンプリング周波数を１．９ＭＨｚとすると、周波数１９ｋＨｚの信号は、周波数１．９ＭＨｚによる１００回のサンプリングで実現できることになる。よって、クロックによる動作周波数（サンプリング周波数）を１．９ＭＨｚとし、加算器４１２に入力される１サンプリング（１．９ＭＨｚ）あたりの位相変化量を−π〜＋πを１００分割した量である２π／１００とする。この位相変化量を累算器４００により累算することによって、基準となる位相データである位相基準データを求めることができる。なお、累算器４００は、周期関数を扱うため、±πの範囲でオーバーフローするように作ることもできる。
【００３９】
次に、本実施の形態におけるパイロット信号抽出回路２１０ａの動作を図３、図４を参照して説明する。
【００４０】
パイロット信号抽出回路２１０ａに入力される入力信号データの中に１９ｋＨｚのパイロット信号データが含まれる。この入力信号データを、ｓｉｎ（２π×１９０００×ｔ）＋ｓ（ｔ）とする。ここで、ｓｉｎ（２π×１９０００×ｔ）は、１９ｋＨｚのパイロット信号データの成分とし、ｓ（ｔ）はパイロット信号データ以外の帯域の全信号データの成分とする。
【００４１】
基準位相データ生成部３００で生成する１９ｋＨｚの基準位相データは、入力される１９ｋＨｚのパイロット信号データと位相差θが存在するため、（２π×１９０００×ｔ＋θ）となる。
【００４２】
次に、余弦波／正弦波データ生成部３１０が、生成した基準位相データから、余弦波データ（ｃｏｓ）であるｃｏｓ（２π×１９０００×ｔ＋θ）を生成し、乗算器３２２が余弦波データ（ｃｏｓ）と入力信号データ｛ｓｉｎ（２π×１９０００×ｔ）＋ｓ（ｔ）｝とを乗算することにより、
｛ｓｉｎ（２π×１９０００×ｔ）＋ｓ（ｔ）｝×ｃｏｓ（２π×１９０００×ｔ＋θ）
＝ｓｉｎ（２π×１９０００×ｔ）×ｃｏｓ（２π×１９０００×ｔ＋θ）＋ｓ（ｔ）×ｃｏｓ（２π×１９０００×ｔ＋θ）
＝１／２×｛ｓｉｎ（２π×（１９０００＋１９０００）×ｔ＋θ）＋ｓｉｎ（２π×（１９０００−１９０００）×ｔ−θ）｝＋ｓ（ｔ）×ｃｏｓ（２π×１９０００×ｔ＋θ）
＝１／２×｛ｓｉｎ（２π×３８０００×ｔ＋θ）＋ｓｉｎ（−θ）｝＋ｓ（ｔ）×ｃｏｓ（２π×１９０００×ｔ＋θ）
となる。
【００４３】
次に、ローパスフィルタ３３２により帯域制限することにより、ＤＣ成分である｛１／２×ｓｉｎ（−θ）｝のみが残る。
【００４４】
また、余弦波／正弦波データ生成部３１０は、生成した基準位相データから、正弦波データ（ｓｉｎ）であるｓｉｎ（２π×１９０００×ｔ＋θ）を生成し、乗算器３２４が余弦波データ（ｃｏｓ）及び入力信号データ｛ｓｉｎ（２π×１９０００×ｔ）＋ｓ（ｔ）｝と同等に乗算することにより、
｛ｓｉｎ（２π×１９０００×ｔ）＋ｓ（ｔ）｝×ｓｉｎ（２π×１９０００×ｔ＋θ）
＝ｓｉｎ（２π×１９０００×ｔ）×ｓｉｎ（２π×１９０００×ｔ＋θ）＋ｓ（ｔ）×ｓｉｎ（２π×１９０００×ｔ＋θ）
＝−１／２×｛ｃｏｓ（２π×（１９０００＋１９０００）×ｔ＋θ）−ｃｏｓ（２π×（１９０００−１９０００）×ｔ−θ）｝＋ｓ(ｔ)×ｓｉｎ（２π×１９０００×ｔ＋θ）
＝−１／２×｛ｃｏｓ（２π×３８０００×ｔ＋θ）−ｃｏｓ（−θ）｝＋ｓ（ｔ）×ｓｉｎ（２π×１９０００×ｔ＋θ）
となる。
【００４５】
次に、ローパスフィルタ３３４により帯域制限することにより、ＤＣ成分である｛１／２×ｃｏｓ（−θ）｝のみが残る。
【００４６】
最後に、逆正接演算器（ａｔａｎ）３３６が、各乗算結果データに対し、逆正接演算（アークタンジェントの演算）を行うことにより、
ａｒｃｔａｎ｛１／２×ｓｉｎ（−θ）｝／｛１／２×ｃｏｓ（−θ）｝＝−θ
となる。
【００４７】
すなわち、入力信号データ中の１９ｋＨｚのパイロット信号データと、自走により生成された１９ｋＨｚの基準位相データとの位相差θを取り出すことができる。
【００４８】
そして、位相生成部３４０の加算器３４２が、基準位相データと位相差データ（−θ）を加算することにより、
２π×１９０００×ｔ＋θ＋（−θ）＝２π×１９０００×ｔ
となる。
【００４９】
すなわち、パイロット信号の位相（２π×１９０００×ｔ）を抽出することができる。
【００５０】
本実施の形態によれば、パイロット信号抽出回路２１０ａにおいて上記の演算を施すことにより、パイロット信号の位相を抽出することができる。つまり、本発明に係る位相フィードバックループのないフィードフォワード構成によりパイロット信号を抽出することができるため、位相フィードバックループの安定化時間を考慮する必要がなく、動作を開始してから安定するまでの時間を低減することができる。
【００５１】
なお、本実施の形態では、位相生成部は加算器で構成されていが、これに限定されるものではない。すなわち、位相生成部は、データ基準位相データから位相差を考慮しパイロット信号位相データを生成するものならばよく、例えば、基準位相データから位相差を減算し、パイロット信号位相データを生成する減算器でもよい。
【００５２】
また、本実施の形態では、基準位相データ生成部は累算器で構成されていが、基準位相データ生成部の構成はこれに限定されるものではない。すなわち、ＤＳＰやメモリ等、位相基準データが生成できるものならばよい。あるいは、基準位相データ生成部で基準位相データを生成するのではなく、パイロット信号抽出回路の外部から入力してもよい。
【００５３】
さらに、本実施の形態では、パイロット信号抽出回路は、パイロット信号位相データを生成して、ステレオ復調回路に出力しているが、ステレオ復調回路の構成はこれに限定されるものではない。すなわち、パイロット信号抽出回路は、パイロット信号位相データを生成すると共に、パイロット信号位相データから１９ｋＨｚの信号を生成して、ステレオ復調回路に出力する構成とすることも、さらに８ｋＨｚの信号も生成して、ステレオ復調回路に出力する構成とすることもできる。
【００５４】
［実施の形態２］
入力信号データに含まれるパイロット信号データと自走の基準位相データとの間に周波数誤差Δｆが生じている場合、自走の基準位相データの周波数は１９ｋHz＋Δfとなり、アークタンジェントの演算後の位相差データは（−２πΔｆ×ｔ−θ）となる。周波数誤差は僅かであって、その影響は通常問題にならないが、さらに精度を向上させたい場合がある。本実施形態は、さらに精度を向上させたステレオ復調回路を例示するものである。
【００５５】
図５は、本発明に係るステレオ復調回路の実施の形態２におけるパイロット信号抽出回路を示すブロック図である。
【００５６】
パイロット信号抽出回路２１０ｂは、図３に示したパイロット信号抽出回路に周波数誤差補正を追加した回路である。
【００５７】
図５に示すように、パイロット信号抽出回路２１０ｂの基準位相データ生成部５００には、位相差データ演算部３３０で生成した位相差データが入力され、該位相差データに基づき基準位相データの周波数誤差が補正される。
【００５８】
図６は、本発明に係るステレオ復調回路の実施の形態２におけるパイロット信号抽出回路に用いられる基準位相データ生成部５００の一具体例を示すブロック図である。
【００５９】
基準位相データ生成部５００は、累算器６００で構成され、周波数誤差が補正された基準位相データを生成する。累算器６００は、加算器６１２とレジスタ６１４に加え、さらに、位相差データに基づき基準位相データの周波数誤差データを生成する周波数誤差生成部６２０を含む。周波数誤差生成部６２０は、位相差データを微分する微分器６２２と、微分器６２２による微分結果を積分して周波数誤差データを出力する、伝達関数Ｈ（ｚ）をもったループフィルタ６２４を備える。
【００６０】
加算器６１２は、１サンプリングあたりの位相変化量と、基準位相データと、周波数誤差生成部６２０からの周波数誤差データを加算する。
【００６１】
次に、本実施の形態におけるパイロット信号抽出回路２１０ｂの動作を図５、図６を参照して説明する。
【００６２】
パイロット信号データと基準位相データとの間の周波数誤差をΔｆとし、ＬＰＦの遅延をＴｄとすると、アークタンジェントの演算後の位相差データは（−２πΔｆ×（ｔ−Ｔｄ）−θ）となる。
【００６３】
該位相差データを微分器６２２により微分することにより、
ｄ｛−２πΔｆ×（ｔ−Ｔｄ）−θ｝／ｄｔ＝−２π×Δｆ
が得られ、微分値データとして周波数誤差Δｆを取り出すことができる。これにより、フィードバック制御をかけることにより、自走の基準位相データ（１９ｋＨｚ＋Δｆ）に−Δｆの補正がかけられ１９ｋＨｚの生成をすることができる。たとえば、フィードバック制御のループフィルタ６２４が有する伝達関数Ｈ（ｚ）に積分成分をもたせることにより、周波数誤差が補正された基準位相データを実現できる。
【００６４】
なお、本実施形態では、周波数誤差補正をするために周波数補正に関するフィードバックループを構成しているが、該フィードバックループが安定するまでに時間がかかることはない。その理由は、本発明は位相フィードバックループのないフィードフォワードの構成により位相差を検出しており、そのための安定化時間を考慮する必要がないこと、及び、フィードフォワードの構成により位相差を検出する動作を行っているため、時間がかかることなく安定した状態に移行できることによる。
【００６５】
以上のように、本発明によれば、周波数誤差補正により、高精度なパイロット信号の抽出を行うことができる。
【００６６】
以上説明したように、本発明のステレオ復調回路は、フィードフォワード構成のため、安定化時間の問題を解決できる。また、簡単な回路の付加により高精度でパイロット信号を抽出することができるので、さらに性能を向上させることができる。
【産業上の利用可能性】
【００６７】
本発明は受信機のステレオ復調用に適用することができ、特にデジタル対応型受信機のＦＭステレオ復調に用いると好適である。
【符号の説明】
【００６８】
２００  ステレオ復調回路
２１０，２１０ａ，２１０ｂ  パイロット信号抽出回路
２２０  復調器
３００，５００  基準位相データ生成部
３１０  余弦波／正弦波データ生成部
３２０  乗算部
３２２，３２４  乗算器
３３０  位相差データ演算部
３３２，３３４  ローパスフィルタ（ＬＰＦ）
３３６  逆正接演算器（ａｔａｎ）
３４０  位相生成部
３４２，６１２  加算器
４００，６００  累算器
４１４，６１４  レジスタ
６２０  周波数誤差生成部
６２２  微分器
６２４  ループフィルタ
【図１】
0005934558.tif 000002
【図２】
0005934558.tif 000003
【図３】
0005934558.tif 000004
【図４】
0005934558.tif 000005
【図５】
0005934558.tif 000006
【図６】
0005934558.tif 000007